(57)【要約】  コンテンツ配信によるネットワーク負荷の軽減を図ることが可能なコンテンツ配信システムを提供する。コンテンツ配信システムは、加入者回線を集線してネットワークと接続するアクセス集線装置を含む。コンテンツ配信システムは、アクセス集線装置を通るパケットに対して監視と抜取と転送とを行うパケット監視抜取部と、パケットのヘッダを編集するパケット挿入部と、少なくとも映像及び音楽のデータを含みかつ配信可能なコンテンツを配信するコンテンツ配信部と、コンテンツを保有するコンテンツ保持部とを備え、アクセス集線装置を通るパケットに対して監視、抜取、挿入、転送を行ってコンテンツをアクセス集線装置からクライアント装置に直接配信するコンテンツ配信装置を有する（図１）。
2009142216.tif 000002
【特許請求の範囲】
【請求項１】
加入者回線を集線してネットワークと接続するアクセス集線装置を通るパケットに対して監視と抜取と転送とを行うパケット監視抜取部と、
前記パケットのヘッダを編集するパケット挿入部と、
少なくとも映像及び音楽のデータを含みかつ配信可能なコンテンツを配信するコンテンツ配信部と、
前記コンテンツを保有するコンテンツ保持部とを備え、
前記アクセス集線装置を通るパケットに対して監視、抜取、挿入、転送を行って、コンテンツを前記アクセス集線装置からクライアント装置に直接配信するコンテンツ配信装置を有することを特徴とするコンテンツ配信システム。
【請求項２】
前記コンテンツ配信装置を前記アクセス集線装置に内蔵し、
前記コンテンツ配信装置に、複数のアクセス回線を集線して信号変換する加入者回線インタフェース部と、前記ネットワークとの接続を行う網側回線インタフェース部とをさらに備え、
前記パケット監視抜取部が、前記加入者回線インタフェース部と前記網側回線インタフェース部との間を通るパケットの監視、抜取、挿入、転送を行うことを特徴とする請求項１に記載のコンテンツ配信システム。
【請求項３】
前記コンテンツ配信装置を前記アクセス集線装置に接続し、
前記コンテンツ配信装置に、前記アクセス集線装置と前記ネットワークとの接続を行う回線インタフェース部をさらに備え、
前記パケット監視抜取部が、前記回線インタフェース部を通るパケットの監視、抜取、挿入、転送を行うことを特徴とする請求項１に記載のコンテンツ配信システム。
【請求項４】
前記コンテンツ配信装置に、前記クライアント装置が使用するセッション情報を保持するセッション情報保持部をさらに備え、
前記パケット監視抜取部が、前記セッション情報保持部を参照して前記パケットの監視、抜取、挿入、転送を行うことを特徴とする請求項１から請求項３のいずれかに記載のコンテンツ配信システム。
【請求項５】
前記アクセス集線装置と前記ネットワークとをブロードバンドアクセスサーバを介して接続することを特徴とする請求項１から請求項４のいずれかに記載のコンテンツ配信システム。
【請求項６】
前記アクセス集線装置と前記ネットワークとをエッジルータを介して接続することを特徴とする請求項１から請求項４のいずれかに記載のコンテンツ配信システム。
【請求項７】
前記クライアント装置は、提供可能なコンテンツのリストを提供するコンテンツポータルサーバから受信可能なコンテンツのリストを取得することを特徴とする請求項１から請求項６のいずれかに記載のコンテンツ配信システム。
【請求項８】
前記クライアント装置は、前記コンテンツポータルサーバから取得したコンテンツのリストの中から受信コンテンツを選択し、当該コンテンツの配信要求を前記アクセス集線装置に送信することを特徴とする請求項７に記載のコンテンツ配信システム。
【請求項９】
前記クライアント装置は、前記選択したコンテンツを前記コンテンツ配信装置から受信することを特徴とする請求項８に記載のコンテンツ配信システム。
【請求項１０】
加入者回線を集線してネットワークと接続するアクセス集線装置を通るパケットに対して監視と抜取と転送とを行うパケット監視抜取部と、
前記パケットのヘッダを編集するパケット挿入部と、
少なくとも映像及び音楽のデータを含みかつ配信可能なコンテンツを配信するコンテンツ配信部と、
前記コンテンツを保有するコンテンツ保持部とを備え、
前記アクセス集線装置を通るパケットに対して監視、抜取、挿入、転送を行って、コンテンツを前記アクセス集線装置からクライアント装置に直接配信することを特徴とするコンテンツ配信装置。
【請求項１１】
前記アクセス集線装置に内蔵され、
複数のアクセス回線を集線して信号変換する加入者回線インタフェース部と、前記ネットワークとの接続を行う網側回線インタフェース部とをさらに備え、
前記パケット監視抜取部が、前記加入者回線インタフェース部と前記網側回線インタフェース部との間を通るパケットの監視、抜取、挿入、転送を行うことを特徴とする請求項１０に記載のコンテンツ配信装置。
【請求項１２】
前記アクセス集線装置に接続され、
前記アクセス集線装置と前記ネットワークとの接続を行う回線インタフェース部をさらに備え、
前記パケット監視抜取部が、前記回線インタフェース部を通るパケットの監視、抜取、挿入、転送を行うことを特徴とする請求項１０に記載のコンテンツ配信装置。
【請求項１３】
前記クライアント装置が使用するセッション情報を保持するセッション情報保持部をさらに備え、
前記パケット監視抜取部が、前記セッション情報保持部を参照して前記パケットの監視、抜取、挿入、転送を行うことを特徴とする請求項１０から請求項１２のいずれかに記載のコンテンツ配信装置。
【請求項１４】
前記アクセス集線装置と前記ネットワークとがブロードバンドアクセスサーバを介して接続されることを特徴とする請求項１０から請求項１３のいずれかに記載のコンテンツ配信装置。
【請求項１５】
前記アクセス集線装置と前記ネットワークとがエッジルータを介して接続されることを特徴とする請求項１０から請求項１３のいずれかに記載のコンテンツ配信装置。
【請求項１６】
加入者回線を集線してネットワークと接続するアクセス集線装置を通るパケットに対して監視と抜取と転送とを行うパケット監視抜取ステップと、
前記パケットのヘッダを編集するパケット挿入ステップと、
少なくとも映像及び音楽のデータを含みかつ配信可能なコンテンツを配信するコンテンツ配信ステップと、
前記コンテンツを保有するコンテンツ保持ステップとを含み、
前記アクセス集線装置を通るパケットに対して監視、抜取、挿入、転送を行って前記コンテンツを前記アクセス集線装置からクライアント装置に直接配信することを特徴とするコンテンツ配信方法。
【請求項１７】
前記アクセス集線装置に内蔵され、
複数のアクセス回線を集線して信号変換する加入者回線インタフェース部と、前記ネットワークとの接続を行う網側回線インタフェース部とを備えるコンテンツ配信装置が前記各ステップを実行し、
前記パケット監視抜取ステップにおいて、前記加入者回線インタフェース部と前記網側回線インタフェース部との間を通るパケットの監視、抜取、挿入、転送を行うことを特徴とする請求項１６に記載のコンテンツ配信方法。
【請求項１８】
前記アクセス集線装置に接続され、
前記アクセス集線装置と前記ネットワークとの接続を行う回線インタフェース部を備えるコンテンツ配信装置が前記各ステップを実行し、
前記パケット監視抜取処理において、前記回線インタフェース部を通るパケットの監視、抜取、挿入、転送を行うことを特徴とする請求項１６に記載のコンテンツ配信方法。
【請求項１９】
前記パケット監視抜取処理において、前記コンテンツ配信装置は、前記クライアント装置が使用するセッション情報を保持するセッション情報保持部を参照して前記パケットの監視、抜取、挿入、転送を行うことを特徴とする請求項１６から請求項１８のいずれかに記載のコンテンツ配信方法。
【請求項２０】
前記アクセス集線装置と前記ネットワークとをブロードバンドアクセスサーバを介して接続することを特徴とする請求項１６から請求項１９のいずれかに記載のコンテンツ配信方法。
【請求項２１】
前記アクセス集線装置と前記ネットワークとをエッジルータを介して接続することを特徴とする請求項１６から請求項１９のいずれかに記載のコンテンツ配信方法。
【請求項２２】
前記クライアント装置が、提供可能なコンテンツのリストを提供するコンテンツポータルサーバから受信可能なコンテンツのリストを取得することを特徴とする請求項１６から請求項２１のいずれかに記載のコンテンツ配信方法。
【請求項２３】
前記クライアント装置が、前記コンテンツポータルサーバから取得したコンテンツのリストの中から受信コンテンツを選択し、当該コンテンツの配信要求を前記アクセス集線装置に送信することを特徴とする請求項２２に記載のコンテンツ配信方法。
【請求項２４】
前記クライアント装置が、前記選択したコンテンツを前記コンテンツ配信装置から受信することを特徴とする請求項２３に記載のコンテンツ配信方法。
【請求項２５】
加入者回線を集線してネットワークと接続するアクセス集線装置を通るパケットに対して監視と抜取と転送とを行うパケット監視抜取処理と、
前記パケットのヘッダを編集するパケット挿入処理と、
少なくとも映像及び音楽のデータを含みかつ配信可能なコンテンツを配信するコンテンツ配信処理と、
前記コンテンツを保有するコンテンツ保持処理とをコンテンツ配信装置を構成するコンピュータに実行させ、
前記アクセス集線装置を通るパケットに対して監視、抜取、挿入、転送を行って、コンテンツを前記アクセス集線装置からクライアント装置に直接配信させるプログラム。
【発明の詳細な説明】
【技術分野】
【０００１】
［関連出願に関する記載］
本発明は、日本国特許出願：特願２００８−１３２５９４号（２００８年５月２１日出願）の優先権主張に基づくものであり、同出願の全記載内容は引用をもって本書に組み込み記載されているものとする。
本発明はコンテンツ配信システム、コンテンツ配信装置、それらに用いるコンテンツ配信方法及びプログラムに関し、特に映像等のコンテンツを配信するシステムに関する。
【背景技術】
【０００２】
ネットワークを介して映像等のコンテンツを配信するコンテンツ配信において、そのサービスを受けるユーザは、通信事業者等が提供する回線接続サービスを利用してネットワークへ接続している。【０００３】
例えば、ユーザがＡＤＳＬ（Ａｓｙｍｍｅｔｒｉｃ  Ｄｉｇｉｔａｌ  Ｓｕｂｓｃｒｉｂｅｒ  Ｌｉｎｅ）を使用した回線接続を利用する場合には、図２１に示すように、コンテンツを受信するクライアント３０と、通信事業者の局舎内のアクセス集線装置１０と、ブロードバンドアクセスサーバ（ＢＡＳ：Ｂｒｏａｄｂａｎｄ  Ａｃｃｅｓｓ  Ｓｅｒｖｅｒ）４０と、ネットワーク１００と、コンテンツ配信サーバ２０とによって構成されている。【０００４】
このような構成を有する本発明に関連するコンテンツ配信システムでは、クライアント３０とブロードバンドアクセスサーバ（ＢＡＳ）４０との間を一対一接続することが一般的に行われており、そのプロトコルとして、ＰＰＰｏＥ［Ｐｏｉｎｔ  ｔｏ  Ｐｏｉｎｔ  Ｐｒｏｔｏｃｏｌ  ｏｖｅｒ  Ｅｔｈｅｒｎｅｔ（登録商標）］等が利用されている（例えば、非特許文献１参照）。【０００５】
また、本発明に関連するコンテンツ配信システムでは、以下のように動作する。コンテンツを受信するクライアント３０は、加入者回線を通して通信事業者の局舎内のアクセス集線装置１０に接続されている。アクセス集線装置１０は、ブロードバンドアクセスサーバ（ＢＡＳ）４０に接続されている。ブロードバンドアクセスサーバ（ＢＡＳ）４０は、インタネット等のネットワーク１００と接続されており、コンテンツ配信サーバ６０は、同じくネットワーク１００に接続されている。【０００６】
クライアント３０とブロードバンドアクセスサーバ（ＢＡＳ）４０との間では、非特許文献１に記載の手順にしたがってＰＰＰｏＥ通信を行い、一対一接続されている。すなわち、コンテンツは、コンテンツ配信サーバ２０からネットワーク１００を介して、ブロードバンドアクセスサーバ（ＢＡＳ）４０からＰＰＰｏＥ通信によってアクセス集線装置１０を通り、クライアント３０へと配信される。
【先行技術文献】
【非特許文献】
【０００７】
【非特許文献１】「Ａ  Ｍｅｔｈｏｄ  ｆｏｒ  Ｔｒａｎｓｍｉｔｔｉｎｇ  ＰＰＰ  ｏｖｅｒ  Ｅｔｈｅｒｎｅｔ（登録商標）（ＰＰＰｏＥ）」（Ｌ．Ｍａｍａｋｏｓ他著、Ｔｈｅ  Ｉｎｔｅｒｎｅｔ  Ｓｏｃｉｅｔｙ  ＲＦＣ２５１６、１９９９年２月発行）
【発明の概要】
【発明が解決しようとする課題】
【０００８】
なお、上記特許文献１の全開示内容はその引用をもって本書に繰込み記載する。以下の分析は、本発明によって与えられたものである。
上述した本発明に関連するコンテンツ配信システムでは、次のような課題がある。【０００９】
本発明に関連するコンテンツ配信システムでは、例えば、図２２に示すように、アクセス集線装置１０にコンテンツ配信サーバ２１を直結することで、ネットワークにトラフィック負荷軽減を図ることが可能である。しかしながら、その配信経路は、コンテンツ配信サーバ２１、ブロードバンドアクセスサーバ（ＢＡＳ）４０、アクセス集線装置１０、クライアント３０となるため、ブロードバンドアクセスサーバ（ＢＡＳ）４０を経由した経路となる。【００１０】
よって、本発明に関連するコンテンツ配信システムでは、アクセス集線装置１０とコンテンツ配信サーバ２１とを直結したとしても、アクセス集線装置１０とブロードバンドアクセスサーバ（ＢＡＳ）４０との間のトラフィックを軽減することができないという課題がある。【００１１】
その理由は、クライアント３０がブロードバンドアクセスサーバ（ＢＡＳ）４０との間でＰＰＰｏＥによって一対一接続されていることにあり、クライアント３０が、ブロードバンドアクセスサーバ（ＢＡＳ）４０を経由せずに通信を行うことができないためである。【００１２】
そこで、本発明の目的は上記の問題点を解消し、コンテンツ配信によるネットワーク負荷の軽減を図ることができるコンテンツ配信システム、コンテンツ配信装置、それらに用いるコンテンツ配信方法及びプログラムを提供することにある。
【課題を解決するための手段】
【００１３】
本発明の第１の視点によるコンテンツ配信システムは、加入者回線を集線してネットワークと接続するアクセス集線装置を通るパケットに対して監視と抜取と転送とを行うパケット監視抜取部と、
前記パケットのヘッダを編集するパケット挿入部と、
少なくとも映像及び音楽のデータを含みかつ配信可能なコンテンツを配信するコンテンツ配信部と、
前記コンテンツを保有するコンテンツ保持部とを備え、
前記アクセス集線装置を通るパケットに対して監視、抜取、挿入、転送を行って、コンテンツを前記アクセス集線装置からクライアント装置に直接配信するコンテンツ配信装置を備えている。【００１４】
本発明の第２の視点によるコンテンツ配信装置は、加入者回線を集線してネットワークと接続するアクセス集線装置を通るパケットに対して監視と抜取と転送とを行うパケット監視抜取部と、
前記パケットのヘッダを編集するパケット挿入部と、
少なくとも映像及び音楽のデータを含みかつ配信可能なコンテンツを配信するコンテンツ配信部と、
前記コンテンツを保有するコンテンツ保持部とを備え、
前記アクセス集線装置を通るパケットに対して監視、抜取、挿入、転送を行って、コンテンツを前記アクセス集線装置からクライアント装置に直接配信している。【００１５】
本発明の第３の視点によるコンテンツ配信方法は、加入者回線を集線してネットワークと接続するアクセス集線装置を通るパケットに対して監視と抜取と転送とを行うパケット監視抜取ステップと、
前記パケットのヘッダを編集するパケット挿入ステップと、
少なくとも映像及び音楽のデータを含みかつ配信可能なコンテンツを配信するコンテンツ配信ステップと、
前記コンテンツを保有するコンテンツ保持ステップとを含み、
前記アクセス集線装置を通るパケットに対して監視、抜取、挿入、転送を行って、コンテンツを前記アクセス集線装置からクライアント装置に直接配信している。
また本発明の第４の視点によれば、上記したコンテンツ配信装置を構成するコンピュータに実行させるプログラムが提供される。なお、このプログラムは、コンピュータが読み取り可能な記憶媒体に記録することができる。
【発明の効果】
【００１６】
本発明は、上記のような構成及び動作とすることで、コンテンツ配信によるネットワーク負荷の軽減を図ることができるという効果が得られる。
【図面の簡単な説明】
【００１７】
【図１】本発明の第１の実施の形態によるコンテンツ配信システムの構成例を示すブロック図である。
【図２】本発明の第１の実施の形態におけるＰＰＰｏＥセッション情報の一例を示す図である。
【図３】本発明の第１の実施の形態における配信サーバ情報の一例を示す図である。
【図４】本発明の第１の実施の形態におけるコンテンツリストの一例を示す図である。
【図５】本発明の第１の実施の形態におけるパケット監視抜取処理を示すフローチャートである。
【図６】本発明の第１の実施の形態におけるパケット監視抜取処理を示すフローチャートである。
【図７】本発明の第１の実施の形態におけるパケット挿入処理を示すフローチャートである。
【図８】本発明の第１の実施の形態におけるシステム全体の動作を示すシーケンスチャートである。
【図９】本発明の第２の実施の形態によるコンテンツ配信システムの構成例を示すブロック図である。
【図１０】本発明の第２の実施の形態におけるＰＰＰｏＥセッション情報の一例を示す図である。
【図１１】本発明の第２の実施の形態におけるパケット監視抜取処理を示すフローチャートである。
【図１２】本発明の第２の実施の形態におけるパケット挿入処理を示すフローチャートである。
【図１３】本発明の第２の実施の形態によるコンテンツ配信システム全体の動作を示すシーケンスチャートである。
【図１４】本発明の第３の実施の形態によるコンテンツ配信システムの構成例を示すブロック図である。
【図１５】本発明の第３の実施の形態におけるセッション情報の一例を示す図である。
【図１６】本発明の第３の実施の形態における配信サーバ情報の一例を示す図である。
【図１７】本発明の第３の実施の形態におけるパケット監視抜取処理を示すフローチャートである。
【図１８】本発明の第３の実施の形態におけるパケット監視抜取処理を示すフローチャートである。
【図１９】本発明の第３の実施の形態におけるパケット挿入処理を示すフローチャートである。
【図２０】本発明の第３の実施の形態によるコンテンツ配信システム全体の動作を示すシーケンスチャートである。
【図２１】本発明に関連するコンテンツ配信システムの構成例を示す図である。
【図２２】本発明に関連するコンテンツ配信システムの課題を示す図である。
【発明を実施するための形態】
【００１８】
次に、本発明の実施の形態について図面を参照して説明する。まず、本発明によるコンテンツ配信システムの概要について説明する。本発明は、映像等のコンテンツを配信するシステムに関し、特にアクセス集線装置等にコンテンツ配信サーバを内蔵もしくは直結し、ネットワークに対する負荷を軽減することのできるコンテンツ配信システムに関する。
【００１９】
本発明によるコンテンツ配信システムは、加入者回線を集線してネットワークと接続するアクセス集線装置にコンテンツ配信サーバを内蔵もしくは直結する構成において、ブロードバンドアクセスサーバ（ＢＡＳ：Ｂｒｏａｄｂａｎｄ  Ａｃｃｅｓｓ  Ｓｅｒｖｅｒ）に代表されるアクセス回線のセッション終端装置を経由することなく、直接コンテンツを受信するクライアント装置に対してコンテンツ配信することを可能とし、コンテンツ配信によるネットワーク負荷の軽減を図ることができる。
【００２０】
本発明によるコンテンツ配信システムは、アクセス集線装置として、複数のユーザ回線を終端する加入者回線Ｉ／Ｆ（インタフェース）部と、上位ネットワークと接続する網側回線Ｉ／Ｆ部と、加入者回線Ｉ／Ｆ部と網側回線Ｉ／Ｆ部との間でパケットを監視、抜取、挿入するパケット抜取挿入部と、アクセス集線装置を通過するセッションの情報の登録、更新、削除を行うセッション情報保持部と、クライアント装置からの要求に応じてコンテンツを配信するコンテンツ配信部と、コンテンツの登録、更新、削除を行うコンテンツ保持部とを備えている。
【００２１】
本発明によるコンテンツ配信システムは、アクセス集線装置を通過するパケットを監視し、内蔵するコンテンツ配信サーバに対するパケットを抜取り、内蔵コンテンツ配信サーバへ送信し、コンテンツ配信サーバから加入者回線の先に接続されるクライアント装置に対してコンテンツを配信するように動作する。
【００２２】
本発明によるコンテンツ配信システムでは、上記のような構成を採用し、アクセス集線装置からクライアント装置に対して直接コンテンツを配信することによって、上述した目的を達成することができる。
【００２３】
図１は本発明の第１の実施の形態によるコンテンツ配信システムの構成例を示すブロック図であり、図２は本発明の第１の実施の形態におけるＰＰＰｏＥセッション情報の一例を示す図であり、図３は本発明の第１の実施の形態における配信サーバ情報の一例を示す図であり、図４は本発明の第１の実施の形態におけるコンテンツリストの一例を示す図である。
【００２４】
図１において、本発明の第１の実施の形態によるコンテンツ配信システムは、アクセス集線装置１と、コンテンツを受信するクライアント装置２と、ブロードバンドアクセスサーバ（ＢＡＳ）３と、ネットワーク１００と、コンテンツポータルサーバ４とから構成されている。
【００２５】
アクセス集線装置１は、加入者回線Ｉ／Ｆ部１１と、パケット監視抜取部１２と、パケット挿入部１３と、コンテンツ配信部１４と、セッション情報保持部１５と、コンテンツ保持部１６と、網側回線Ｉ／Ｆ部１７とを備えている。
【００２６】
クライアント装置２は、コンテンツを受信する端末であり、ＡＤＳＬ（Ａｓｙｍｍｅｔｒｉｃ  Ｄｉｇｉｔａｌ  Ｓｕｂｓｃｒｉｂｅｒ  Ｌｉｎｅ）モデム機能等アクセス回線へ接続するための機能を有し、またネットワーク１００と接続するためのＰＰＰｏＥ［Ｐｏｉｎｔ  ｔｏ  Ｐｏｉｎｔ  Ｐｒｏｔｏｃｏｌ  ｏｖｅｒ  Ｅｔｈｅｒｎｅｔ（登録商標）］セッションを制御する機能を有する。
【００２７】
ブロードバンドアクセスサーバ（ＢＡＳ）３は、クライアント装置２とのＰＰＰｏＥセッションを終端し、ネットワーク１００との接続を制御する装置であり、アクセス集線装置１と接続されている。
【００２８】
ネットワーク１００は、ブロードバンドアクセスサーバ（ＢＡＳ）３と、コンテンツポータルサーバ４とを接続するインタネット等のネットワークである。
【００２９】
コンテンツポータルサーバ４は、コンテンツの所在をクライアント装置２に対して提供するサーバであり、例えば、クライアント装置２とＨＴＴＰ（Ｈｙｐｅｒ  Ｔｅｘｔ  Ｔｒａｎｓｆｅｒ  Ｐｒｏｔｏｃｏｌ）で通信するＷＷＷ（Ｗｏｒｌｄ  Ｗｉｄｅ  Ｗｅｂ）サーバでもよいが、それに限定されるものではない。また、コンテンツポータルサーバ４は、図４に示すように、コンテンツ配信部１４のＩＰ（Ｉｎｔｅｒｎｅｔ  Ｐｒｏｔｏｃｏｌ）アドレスと、配信可能なコンテンツのリストとを保有しているものとする。
【００３０】
加入者回線Ｉ／Ｆ部１１は、回線を終端し、ＡＤＳＬ信号を受信してＥｔｈｅｒｎｅｔ（登録商標）フレームへ変換し、パケット監視抜取部１２へ送信する。また、加入者回線Ｉ／Ｆ部１１は、パケット抜取監視部１２及びパケット挿入部１３からＥｔｈｅｒｎｅｔ（登録商標）フレームを受信し、ＡＤＳＬ信号に変換して各加入者回線へ送信する。
【００３１】
パケット監視抜取部１２は、加入者回線Ｉ／Ｆ部１１及び網側回線Ｉ／Ｆ部１７からＥｔｈｅｒｎｅｔ（登録商標）パケットを受信し、受信したパケットの宛先ＩＰアドレスを参照して、コンテンツ配信部１４のＩＰアドレス宛のパケットを検出すると、そのパケットをコンテンツ配信部１４へ送信する。同時に、パケット監視抜取部１２は、セッション情報保持部１５に保有するＰＰＰｏＥセッション情報を更新する。
【００３２】
また、パケット監視抜取部１２は、コンテンツ配信部１４宛ではないパケットに対して、加入者回線Ｉ／Ｆ部１１から受信したパケットであれば網側回線Ｉ／Ｆ部１７へ送信し、網側回線Ｉ／Ｆ部１７から受信したパケットであれば加入者回線Ｉ／Ｆ部１１へ送信する。さらに、パケット監視抜取部１２は、ＰＰＰｏＥの制御フレームでＰＰＰｏＥセッションの終了を示すＰＡＤＴ（ＰＰＰｏＥ  Ａｃｔｉｖｅ  Ｄｉｓｃｏｖｅｒｙ  Ｔｅｒｍｉｎａｔｅ）パケットを検出すると、セッション情報保持部１５に保有する該当セッションの情報を削除する。
【００３３】
パケット挿入部１３は、コンテンツ配信部１４よりパケットを受信し、受信したパケットの宛先ＩＰアドレスをキーとして、セッション情報保持部１５が保有するセッション情報を検索し、該当するセッションが見つかった場合、検索されたセッション情報からＰＰＰｏＥ／ＰＰＰヘッダを設定し、加入者回線Ｉ／Ｆ部１１へ送信し、それ以外は、網側回線Ｉ／Ｆ部１７へ送信する。
【００３４】
コンテンツ配信部１４は、パケット監視抜取部１２からパケットを受信し、配信要求されたコンテンツをコンテンツ保持部１６より読出し、パケット化してパケット挿入部１３へ送信する。また、コンテンツ配信部１４は、ブロードバンドアクセスサーバ（ＢＡＳ）３と接続するためのＰＰＰｏＥセッション制御機能を有する。
【００３５】
セッション情報保持部１５は、図２に示すＰＰＰｏＥセッションテーブルと、図３に示す配信サーバ情報テーブルとから構成される。図２を参照すると、ＰＰＰｏＥセッションテーブルは、少なくともＰＰＰｏＥセッションＩＤ、回線番号、端末ＭＡＣ（ＭＡＣ）アドレス、宛先ＭＡＣアドレス、端末ＩＰアドレスをＰＰＰｏＥのセッションＩＤ毎に保持する。
【００３６】
また、図３を参照すると、配信サーバ情報テーブルは、少なくともコンテンツ配信部１４が使用しているＩＰアドレス、配信部ＭＡＣアドレス、宛先ＭＡＣアドレス、ＰＰＰｏＥセッションＩＤを保持する。
【００３７】
コンテンツ保持部１６は、配信可能なコンテンツを格納している。また、コンテンツ保持部１６が保有するコンテンツは、例えば、映画やドラマ等の映像であるが、それに限定されるものではない。
【００３８】
網側回線Ｉ／Ｆ部１７は、網側回線を終端し、パケット監視抜取部１２及びパケット挿入部１３から受信したパケットをブロードバンドアクセスサーバ（ＢＡＳ）３へ送信する。また、網側回線Ｉ／Ｆ部１７は、ブロードバンドアクセスサーバ（ＢＡＳ）３から受信したパケットをパケット監視抜取監視部１２へ送信する。
【００３９】
図５及び図６は本発明の第１の実施の形態におけるパケット監視抜取処理を示すフローチャートであり、図７は本発明の第１の実施の形態におけるパケット挿入処理を示すフローチャートであり、図８は本発明の第１の実施の形態におけるシステム全体の動作を示すシーケンスチャートである。
【００４０】
これら図１〜図８を参照して本発明の第１の実施の形態によるコンテンツ配信システムの動作について説明する。以下、アクセス集線装置１のパケット受信動作について図５及び図６を参照して説明する。
【００４１】
アクセス集線装置１は、加入者回線Ｉ／Ｆ部１１及び網側回線Ｉ／Ｆ部１７からパケットを受信するが、受信パケットがＰＰＰｏＥ制御パケットの場合と、コンテンツ配信部１４宛てである場合と、上記のどちらにも該当しないパケットであるかによって動作が異なるため、それぞれ説明する。
【００４２】
まず、アクセス集線装置１がクライアント装置２からＰＰＰｏＥ制御パケットを受信した時の動作について説明する。この場合、加入者回線Ｉ／Ｆ部１１は、ＡＤＳＬ信号を受信すると、そのＡＤＳＬ信号をＥｔｈｅｒｎｅｔ（登録商標）フレームへ変換し、パケット監視抜取部１２へ送信する。
【００４３】
パケット監視抜取部１２は、受信したパケットのＰＰＰｏＥヘッダからＰＰＰｏＥ制御パケットであるかを確認する（図５ステップＳ１）。パケット監視抜取部１２は、ＰＰＰｏＥ制御パケットであれば、さらにパケット種別がセッション終了を通知するＰＡＤＴパケットであるかを確認する（図５ステップＳ９）。
【００４４】
パケット監視抜取部１２は、ＰＡＤＴパケットの場合、セッション情報保持部１５に保有するＰＰＰｏＥセッションテーブルから該当するＰＰＰｏＥセッション情報を削除する（図５ステップＳ１０）。
【００４５】
さらに、パケット監視抜取部１２は、パケットが加入者回線Ｉ／Ｆ部１１から受信したものであるかを確認し（図６ステップＳ１１）、ＰＰＰｏＥ制御パケットを網側回線Ｉ／Ｆ部１７へ送信する（図６ステップＳ１２）。網側回線Ｉ／Ｆ部１７は、受信したパケットをブロードバンドアクセスサーバ（ＢＡＳ）３へ送信する。
【００４６】
次に、アクセス集線装置１０がブロードバンドアクセスサーバ（ＢＡＳ）３からＰＰＰｏＥ制御パケットを受信した時の動作について説明する。この場合、網側回線Ｉ／Ｆ部１７は、ブロードバンドアクセスサーバ（ＢＡＳ）３からパケットを受信し、パケット監視抜取部１２へ送信する。
【００４７】
パケット監視抜取部１２は、受信したパケットのＰＰＰｏＥヘッダからＰＰＰｏＥ制御パケットであるかを確認する（図５ステップＳ１）。パケット監視抜取部１２は、ＰＰＰｏＥ制御パケットであれば、さらにパケット種別がセッション終了を通知するＰＡＤＴパケットであるかを確認する（図５ステップＳ９）。
【００４８】
パケット監視抜取部１２は、ＰＡＤＴパケットの場合、セッション情報保持部１５に保有するＰＰＰｏＥセッションテーブルから該当するＰＰＰｏＥセッション情報を削除する（図５ステップＳ１０）。さらに、パケット監視抜取部１２は、パケットが加入者回線Ｉ／Ｆ部１１から受信したものであるかを確認する（図６ステップＳ１１）。
【００４９】
パケット監視抜取部１２は、パケットが網側回線Ｉ／Ｆ部１７から受信したものであるため、ＰＰＰｏＥ制御パケットを加入者回線Ｉ／Ｆ部１１へ送信する（図６ステップＳ１３）。加入者回線Ｉ／Ｆ部１１は、受信したパケットをＥｔｈｅｒｎｅｔ（登録商標）フレームからＡＤＳＬ信号へ変換し、クライアント装置２に対して送信する。
【００５０】
次に、アクセス集線装置１がクライアント装置２からコンテンツ配信部１４宛のパケットを受信した時の動作について説明する。この場合、加入者回線Ｉ／Ｆ部１１は、ＡＤＳＬ信号を受信すると、ＡＤＳＬ信号をＥｔｈｅｒｎｅｔ（登録商標）フレームへ変換し、パケット監視抜取部１２へ送信する。
【００５１】
パケット監視抜取部１２は、受信したパケットのＰＰＰｏＥヘッダからＰＰＰｏＥ制御パケットであるかを確認し（図５ステップＳ１）、ＰＰＰｏＥ制御パケットでない場合、パケットのＩＰヘッダ内の宛先ＩＰアドレスがコンテンツ配信部１４宛であるかを確認する（図５ステップＳ２）。
【００５２】
パケット監視抜取部１２は、コンテンツ配信部１４宛のパケットであれば（図５ステップＳ２の分岐でＹＥＳ）、送信元が加入者回線Ｉ／Ｆ１１側であるかどうかを確認する（図５ステップＳ３）。さらに、パケット監視抜取部１２は、受信したパケットが加入者回線Ｉ／Ｆ１１側からのものであれば、受信パケットのＰＰＰｏＥセッションＩＤをキーにしてセッション情報保持部１５に保有するＰＰＰｏＥセッションテーブルを検索する（図５ステップＳ４）。
【００５３】
パケット監視抜取部１２は、該当するＰＰＰｏＥセッションが見つかった場合、そのセッション情報を更新し（図５ステップＳ５）、ＰＰＰｏＥセッションが見つからない場合、新たにセッション情報を登録する（図５ステップＳ６）。さらにまた、パケット監視抜取部１２は、セッション情報保持部１５に保有する配信サーバ情報テーブルからコンテンツ配信部１４が使用するＭＡＣアドレスとＰＰＰｏＥセッションＩＤとを取得し、受信パケットの宛先ＭＡＣアドレスとＰＰＰｏＥセッションＩＤとをそれぞれ書き換え（図５ステップＳ７）、コンテンツ配信部１４へ送信する（図５ステップＳ８）。
【００５４】
次に、アクセス集線装置１がブロードバンドアクセスサーバ（ＢＡＳ）３からコンテンツ配信部１４宛のパケットを受信した時の動作について説明する。この場合、網側回線Ｉ／Ｆ部１７は、ブロードバンドアクセスサーバ（ＢＡＳ）３からパケットを受信すると、そのパケットをパケット監視抜取部１２へ送信する。
【００５５】
パケット監視抜取部１２は、受信したパケットのＰＰＰｏＥヘッダからＰＰＰｏＥ制御パケットであるかを確認し（図５ステップＳ１）、ＰＰＰｏＥ制御パケットでない場合、パケットのＩＰヘッダ内の宛先ＩＰアドレスがコンテンツ配信部１４宛であるかを確認する（図５ステップＳ２）。
【００５６】
パケット監視抜取部１２は、コンテンツ配信部１４宛のパケットであれば（図５ステップＳ２の分岐でＹＥＳ）、送信元が加入者回線Ｉ／Ｆ１１側であるかどうかを確認する（図５ステップＳ３）。さらに、パケット監視抜取部１２は、受信したパケットが網側回線Ｉ／Ｆ１７からのものであれば、そのパケットをコンテンツ配信部１４へ送信する（図５ステップＳ８）。
【００５７】
次に、アクセス集線装置１がクライアント装置２からＰＰＰｏＥ制御パケットでなく、かつコンテンツ配信部１４宛でもないパケットを受信した時の動作について説明する。この場合、加入者回線Ｉ／Ｆ部１１は、ＡＤＳＬ信号を受信すると、そのＡＤＳＬ信号をＥｔｈｅｒｎｅｔ（登録商標）フレームへ変換し、パケット監視抜取部１２へ送信する。
【００５８】
パケット監視抜取部１２は、受信したパケットのＰＰＰｏＥヘッダからＰＰＰｏＥ制御パケットであるかを確認し（図５ステップＳ１）、ＰＰＰｏＥ制御パケットでない場合、パケットのＩＰヘッダの宛先ＩＰアドレスがコンテンツ配信部１４宛であるかを確認する（図５ステップＳ２）。
【００５９】
パケット監視抜取部１２は、コンテンツ配信部１４宛のパケットでなければ（図５ステップＳ２の分岐でＮＯ）、パケットが加入者回線Ｉ／Ｆ部１１から受信したものであるかを確認し（図６ステップＳ１１）、加入者回線Ｉ／Ｆ部１１から受信したものであれば、パケットを網側回線Ｉ／Ｆ部１７へ送信する（図５ステップＳ１２）。網側回線Ｉ／Ｆ部１７は、受信したパケットをブロードバンドアクセスサーバ（ＢＡＳ）３へ送信する。
【００６０】
次に、アクセス集線装置１がブロードバンドアクセスサーバ（ＢＡＳ）３から、ＰＰＰｏＥ制御パケットでなく、かつコンテンツ配信部１４宛でもないパケットを受信した時の動作について説明する。この場合、網側回線Ｉ／Ｆ部１７は、ブロードバンドアクセスサーバ（ＢＡＳ）３からパケットを受信すると、そのパケットをパケット監視抜取部１２へ送信する。
【００６１】
パケット監視部１２は、受信したパケットのＰＰＰｏＥヘッダからＰＰＰｏＥ制御パケットであるかを確認し（図５ステップＳ１）、ＰＰＰｏＥ制御パケットでない場合、パケットのＩＰヘッダの宛先ＩＰアドレスがコンテンツ配信部１４宛であるかを確認する（図５ステップＳ２）。
【００６２】
パケット監視抜取部１２は、コンテンツ配信部１４宛のパケットでなければ（図５ステップＳ２の分岐でＮＯ）、送信元が加入者回線Ｉ／Ｆ１１側であるかを確認し（図６ステップＳ１１）、そうでない場合、パケットを加入者回線Ｉ／Ｆ部１１へ送信する（図６ステップＳ１３）。加入者回線Ｉ／Ｆ部１１は、受信したパケットをＥｔｈｅｒｎｅｔ（登録商標）フレームからＡＤＳＬ信号へ変換し、クライアント装置２に対して送信する。
【００６３】
上述したとおり、アクセス集線装置１は、受信パケットの条件によって異なる動作をする。
【００６４】
次に、図７を参照してパケット挿入部１３の処理について説明する。パケット挿入部１３は、コンテンツ配信部１４からパケットを受信すると、受信したパケットの宛先ＩＰアドレスをキーにしてセッション情報保持部１５に保有するＰＰＰｏＥセッション情報を検索する（図７ステップＳ２１）。
【００６５】
パケット挿入部１３は、該当するＰＰＰｏＥセッションを見つけた場合（図７ステップＳ２２の分岐でＹＥＳ）、パケットの宛先ＭＡＣアドレス、送信元ＭＡＣアドレス、ＰＰＰｏＥセッションＩＤを取得したＰＰＰｏＥセッション情報から設定し（図７ステップＳ２３）、パケットを加入者回線Ｉ／Ｆ部１１へ送信する（図７ステップＳ２４）。
【００６６】
また、パケット挿入部１３は、ステップＳ２２のセッション情報検索において該当するＰＰＰｏＥセッションが見つからない場合、パケットのヘッダを設定せず、そのパケットを網側回線Ｉ／Ｆ部１７へ送信する（図７ステップＳ２５）。
【００６７】
次に、図８を参照してクライアント装置２がコンテンツを取得するまでのコンテンツ配信システム全体の動作について説明する。まず、コンテンツ保持部１６は、配信可能なコンテンツを保有しているものとする。
【００６８】
また、コンテンツ配信部１４は、予めブロードバンドアクセスサーバ（ＢＡＳ）３とＰＰＰｏＥ接続しており、セッション情報保持部１５は、配信サーバ情報テーブルとしてコンテンツ配信部１４が使用するＩＰアドレス、配信部ＭＡＣアドレス、宛先ＭＡＣアドレス、ＰＰＰｏＥセッションＩＤを保有していることとする。
【００６９】
さらに、クライアント装置２は、アクセス集線装置１を介してブロードバンドアクセスサーバ（ＢＡＳ）３と接続してＰＰＰｏＥセッションが確立しており、ＩＰアドレスを保有しているものとする。
【００７０】
クライアント装置２は、アクセス集線装置１と、ブロードバンドアクセスサーバ（ＢＡＳ）３と、ネットワーク１００を経由し、コンテンツポータルサーバ４と接続し、コンテンツリストを要求する（図８のａ１）。ポータルサーバ４は、クライアント装置２からコンテンツリスト要求を受けると、コンテンツリストをクライアント装置２へ送信する（図８のａ２）。
【００７１】
クライアント装置２は、コンテンツポータルサーバ４から取得したコンテンツリストから配信を希望するコンテンツを選択し（図８のａ３）、アクセス集線装置１（コンテンツ配信部１４のＩＰアドレス）に対してコンテンツ配信要求を行う（図８のａ４）。
【００７２】
クライアント装置２から送信されたコンテンツ配信要求パケットは、アクセス集線装置１において、加入者回線Ｉ／Ｆ部１１を通してパケット監視抜取部１２が受信する。パケット監視抜取部１２は、セッション情報保持部１５のセッション情報を作成もしくは更新する（図８のａ５）。次に、パケット監視部１２は、配信要求パケットをコンテンツ配信部１４へ送信する（図８のａ６）。
【００７３】
コンテンツ配信部１４は、コンテンツ配信要求パケットを受信すると、該当するコンテンツをコンテンツ保持部１６から取得する（図８のａ７）。コンテンツ配信部１４は、取得したコンテンツをパケット化し、パケット挿入部１３へ送信する（図８のａ８）。
【００７４】
パケット挿入部１３は、セッション情報保持部１５のセッション情報を参照し、パケットヘッダを編集した後、そのパケットを加入者回線Ｉ／Ｆ部１１へ送信する（図８のａ９）。加入者回線Ｉ／Ｆ部１１はパケットをクライアント装置２に送信するので、クライアント装置２において加入者回線Ｉ／Ｆ部１１からパケットが受信される（図８のａ１０）。
【００７５】
コンテンツ配信部１４、パケット挿入部１３、加入者回線Ｉ／Ｆ部１１は、それぞれ配信要求されたコンテンツデータを全て送信し終わるまで（図８のａ１１）、ステップａ７の処理からａ１０の処理を繰り返し行い、コンテンツデータを全て送信し終わると、配信処理を完了する。
【００７６】
クライアント装置２は、コンテンツ受信完了後にＰＰＰｏＥセッションを終了し、ＰＡＤＴパケットをブロードバンドアクセスサーバ（ＢＡＳ）３に対して送信する。ＰＡＤＴパケットを受信したパケット監視抜取部１２は、セッション情報保持部１５に保有するセッション情報から該当するセッション情報を削除する。
【００７７】
このように、本実施の形態では、アクセス集線装置１にコンテンツ配信サーバを内蔵し、アクセス集線装置１を通るＰＰＰｏＥのパケットの監視、抜取、挿入、転送を行う構成を取っているため、ブロードバンドアクセスサーバ（ＢＡＳ）３を経由せず、コンテンツをアクセス集線装置１から直接クライアント装置２に対して送信することが可能であり、ネットワーク１００に対する負荷を軽減することが可能となる。
【００７８】
つまり、本実施の形態では、アクセス集線装置１から直接クライアント装置２に対してコンテンツを配信することが可能となるため、コンテンツ配信によるネットワーク１００へのトラフィック負荷を軽減することができ、大規模なコンテンツ配信システムの構築をより低コストで実現することができる。
【００７９】
図９は本発明の第２の実施の形態によるコンテンツ配信システムの構成例を示すブロック図であり、図１０は本発明の第２の実施の形態におけるＰＰＰｏＥセッション情報の一例を示す図である。
【００８０】
図９において、本発明の第２の実施の形態によるコンテンツ配信システムは、アクセス集線装置５と、クライアント装置２と、ブロードバンドアクセスサーバ（ＢＡＳ）３と、ネットワーク１００と、コンテンツポータルサーバ４と、コンテンツ配信装置６とから構成されている。
【００８１】
本発明の第２の実施の形態では、アクセス集線装置５にパケット監視抜取部やコンテンツ配信部等を内蔵せず、アクセス集線装置５とブロードバンドアクセスサーバ（ＢＡＳ）３との間に、コンテンツ配信装置６を配置する構成を取ることが本発明の第１の実施の形態とは異なっている。尚、クライアント装置２、ブロードバンドアクセスサーバ（ＢＡＳ）３、ネットワーク１００、コンテンツポータルサーバ４は、それぞれ本発明の第１の実施の形態とは動作が同じであるため、その詳細な説明について省略する。
【００８２】
アクセス集線装置５は、クライアント装置２と接続され、ＡＤＳＬ信号とＥｔｈｅｒｎｅｔ（登録商標）フレームとを変換する装置である。
【００８３】
コンテンツ配信装置６は、回線Ｉ／Ｆ部６１と、パケット監視抜取部６２と、パケット挿入部６３と、コンテンツ配信部６４と、セッション情報保持部６５と、コンテンツ保持部６６とを備えている。
【００８４】
回線Ｉ／Ｆ部６１は、アクセス集線装置５とブロードバンドアクセスサーバ（ＢＡＳ）３との間のネットワークに接続し、ネットワークを通過する全てのパケットを受信し、パケット監視抜取部６２へ送信する。また、回線Ｉ／Ｆ部６１は、パケット抜取監視部６２及びパケット挿入部６３からパケットを受信し、ネットワークに対して送信する。
【００８５】
パケット監視抜取部６２は、回線Ｉ／Ｆ部６１からＥｔｈｅｒｎｅｔ（登録商標）パケットを受信し、受信したパケットの宛先ＩＰアドレスを参照して、コンテンツ配信部６４のＩＰアドレス宛のパケットを検出すると、そのパケットをコンテンツ配信部６４へ送信する。同時に、パケット監視抜取部６２は、セッション情報保持部６５に保有するＰＰＰｏＥセッション情報を更新する。
【００８６】
また、パケット監視抜取部６２は、コンテンツ配信部６４宛ではないパケットを回線Ｉ／Ｆ部６１へ送信する。さらに、パケット監視抜取部６２は、ＰＰＰｏＥの制御フレームでＰＰＰｏＥセッションの終了を示すＰＡＤＴパケットを検出すると、セッション情報保持部６５に保有する該当セッションの情報を削除する。
【００８７】
パケット挿入部６３は、コンテンツ配信部６４よりパケットを受信し、受信したパケットの宛先ＩＰアドレスをキーとして、セッション情報保持部６５が保有するセッション情報を検索し、該当するセッションが見つかった場合、検索されたセッション情報からＰＰＰｏＥ／ＰＰＰヘッダを設定し、回線Ｉ／Ｆ部６１へ送信する。また、パケット挿入部６３は、上記のパケット以外は、ヘッダの操作を行わずに回線Ｉ／Ｆ部６１へ送信する。
【００８８】
コンテンツ配信部６４は、パケット監視抜取部６２からパケットを受信し、配信要求されたコンテンツをコンテンツ保持部６６より読出し、パケット化してパケット挿入部６３へ送信する。また、コンテンツ配信部６４は、ブロードバンドアクセスサーバ（ＢＡＳ）３と接続するためのＰＰＰｏＥセッション制御機能を有する。
【００８９】
セッション情報保持部６５は、図１０に示すＰＰＰｏＥセッションテーブルと、図３に示す配信サーバ情報テーブルとから構成されている。図１０を参照すると、ＰＰＰｏＥセッションテーブルは、少なくともＰＰＰｏＥセッションＩＤ、端末ＭＡＣアドレス、宛先ＭＡＣアドレス、端末ＩＰアドレスをＰＰＰｏＥのセッションＩＤ毎に保持する。
【００９０】
また、図３を参照すると、配信サーバ情報テーブルは、少なくともコンテンツ配信部６４が使用しているＩＰアドレス、配信部ＭＡＣアドレス、宛先ＭＡＣアドレス、ＰＰＰｏＥセッションＩＤを保持する。
【００９１】
コンテンツ保持部６６は、配信可能なコンテンツを格納している。また、コンテンツ保持部６６が保有するコンテンツは、例えば、映画やドラマ等の映像であるが、それに限定されるものではない。
【００９２】
図１１は本発明の第２の実施の形態におけるパケット監視抜取処理を示すフローチャートであり、図１２は本発明の第２の実施の形態におけるパケット挿入処理を示すフローチャートであり、図１３は本発明の第２の実施の形態によるコンテンツ配信システム全体の動作を示すシーケンスチャートである。これら図９〜図１３を参照して本発明の第２の実施の形態によるコンテンツ配信システム全体の動作について説明する。
【００９３】
以下、図１１を参照してコンテンツ配信装置６のパケット受信動作について説明する。
コンテンツ配信装置６は、受信パケットが、ＰＰＰｏＥ制御パケットの場合と、コンテンツ配信部１４宛である場合と、上記のどちらにも該当しないパケットである場合とによって動作が異なるため、それぞれ説明する。
【００９４】
まず、コンテンツ配信装置６がＰＰＰｏＥ制御パケットを受信した時の動作について説明する。回線Ｉ／Ｆ部６１は、パケットを受信すると、そのパケットをパケット監視抜取部６２へ送信する。
【００９５】
パケット監視抜取部６２は、受信したパケットのＰＰＰｏＥヘッダからＰＰＰｏＥ制御パケットであるかを確認し（図１１ステップＳ３１）、ＰＰＰｏＥ制御パケットであれば、さらにパケット種別がセッション終了を通知するＰＡＤＴパケットであるかを確認する（図１１ステップＳ３８）。
【００９６】
パケット監視抜取部６２は、ＰＡＤＴパケットの場合、セッション情報保持部６５に保有するＰＰＰｏＥセッションテーブルから該当するＰＰＰｏＥセッション情報を削除する（図１１ステップＳ３９）。さらに、パケット監視抜取部６２は、ＰＰＰｏＥ制御パケットを回線Ｉ／Ｆ部６１へ送信する（図１１ステップＳ４０）。回線Ｉ／Ｆ部６１は、受信したパケットを回線へ送信する。
【００９７】
次に、コンテンツ配信装置６がコンテンツ配信部６４宛のパケットを受信した時の動作について説明する。回線Ｉ／Ｆ部６１は、パケットを受信すると、そのパケットをパケット監視抜取部６２へ送信する。
【００９８】
パケット監視抜取部６２は、受信したパケットのＰＰＰｏＥヘッダからＰＰＰｏＥ制御パケットであるかを確認し（図１１ステップＳ３１）、ＰＰＰｏＥ制御パケットでない場合、パケットのＩＰヘッダの宛先ＩＰアドレスがコンテンツ配信部６４宛であるかを確認する（図１１ステップＳ３２）。
【００９９】
パケット監視抜取部６２は、コンテンツ配信部６４宛のパケットであれば（図１１ステップＳ３２の分岐でＹＥＳ）、受信パケットのＰＰＰｏＥセッションＩＤをキーにしてセッション情報保持部６５に保有するＰＰＰｏＥセッションテーブルを検索する（図１１ステップＳ３３）。
【０１００】
パケット監視抜取部６２は、該当するＰＰＰｏＥセッションが見つかった場合、そのセッション情報を更新し（図１１ステップＳ３４）、ＰＰＰｏＥセッションが見つからない場合、新たにセッション情報を登録する（図１１ステップＳ３５）。
【０１０１】
さらにまた、パケット監視抜取部６２は、セッション情報保持部６５に保有する配信サーバ情報テーブルからコンテンツ配信部６４が使用するＭＡＣアドレスとＰＰＰｏＥセッションＩＤとを取得し、受信パケットの宛先ＭＡＣアドレスとＰＰＰｏＥセッションＩＤとをそれぞれ書き換え（図１１ステップＳ３６）、コンテンツ配信部６４へ送信する（図１１ステップＳ３７）。
【０１０２】
次に、コンテンツ配信装置６が、ＰＰＰｏＥ制御パケットでなく、かつコンテンツ配信部６４宛でもないパケットを受信した時の動作について説明する。回線Ｉ／Ｆ部６１は、パケットを受信すると、そのパケットをパケット監視抜取部６２へ送信する。
【０１０３】
パケット監視抜取部６２は、受信したパケットのＰＰＰｏＥヘッダからＰＰＰｏＥ制御パケットであるかを確認し（図１１ステップＳ３１）、ＰＰＰｏＥ制御パケットでない場合、パケットのＩＰヘッダの宛先ＩＰアドレスがコンテンツ配信部６４宛であるかを確認する（図１１ステップＳ３２）。
【０１０４】
パケット監視抜取部６２は、コンテンツ配信部６４宛のパケットでなければ（図１１ステップＳ３２の分岐でＮＯ）、パケットを回線Ｉ／Ｆ部６１へ送信する（図１１ステップＳ４０）。回線Ｉ／Ｆ部６１は、受信したパケットを回線へ送信する。
【０１０５】
上述したとおり、コンテンツ配信装置６は、受信パケットの条件によって異なる動作をする。
【０１０６】
次に、図１２を参照してパケット挿入部６３の動作について説明する。パケット挿入部６３は、受信したパケットの宛先ＩＰアドレスをキーにしてセッション情報保持部６５に保有するＰＰＰｏＥセッション情報を検索する（図１２ステップＳ４１）。
【０１０７】
パケット挿入部６３は、該当するＰＰＰｏＥセッションを見つけた場合（図１２ステップＳ４２の分岐でＹＥＳ）、パケットの宛先ＭＡＣアドレス、送信元ＭＡＣアドレス、ＰＰＰｏＥセッションＩＤを取得したＰＰＰｏＥセッション情報から設定し（図１２ステップＳ４３）、パケットを回線Ｉ／Ｆ部６１へ送信する（図１２ステップＳ４４）。
【０１０８】
また、パケット挿入部６３は、ステップＳ４２のセッション情報検索において該当するＰＰＰｏＥセッションが見つからない場合、パケットのヘッダを修正せずにパケットを回線Ｉ／Ｆ部６１へ送信する（図１２ステップＳ４４）。
【０１０９】
次に、図１３を参照してクライアント装置２がコンテンツを取得するまでのコンテンツ配信システム全体の動作について説明する。尚、コンテンツ保持部６６は、配信可能なコンテンツを保有しているものとする。また、コンテンツ配信部６４は、予めブロードバンドアクセスサーバ（ＢＡＳ）３とＰＰＰｏＥ接続しており、セッション情報保持部６５は、配信サーバ情報テーブルとしてコンテンツ配信部６４が使用するＩＰアドレス、配信部ＭＡＣアドレス、宛先ＭＡＣアドレス、ＰＰＰｏＥセッションＩＤを保有していることとする。
【０１１０】
さらに、クライアント装置２は、アクセス集線装置５を介してブロードバンドアクセスサーバ（ＢＡＳ）３と接続してＰＰＰｏＥセッションが確立しており、ＩＰアドレスを保有しているものとする。
【０１１１】
クライアント装置２は、アクセス集線装置５と、ブロードバンドアクセスサーバ（ＢＡＳ）３と、ネットワーク１００とを経由し、コンテンツポータルサーバ４と接続し、コンテンツリストを要求する（図１３のｂ１）。コンテンツポータルサーバ４は、クライアント装置２からコンテンツリスト要求を受けると、コンテンツリストをクライアント装置２へ送信する（図１３のｂ２）。
【０１１２】
クライアント装置２は、コンテンツポータルサーバ４から取得したリストから配信を希望するコンテンツを選択し（図１３のｂ３）、コンテンツ配信部６４のＩＰアドレスに対してコンテンツ配信要求を行う（図１３のｂ４）。
【０１１３】
クライアント装置２から送信されたコンテンツ配信要求パケットは、コンテンツ配信装置６において、回線Ｉ／Ｆ部６１を通してパケット監視抜取部６２が受信する。パケット監視抜取部６２は、セッション情報保持部６５のセッション情報を作成もしくは更新する（図１３のｂ５）。次に、パケット監視抜取部６２は、配信要求パケットをコンテンツ配信部６４へ送信する（図１３のｂ６）。
【０１１４】
コンテンツ配信部６４は、コンテンツ配信要求パケットを受信すると、該当するコンテンツをコンテンツ保持部６６から取得する（図１３のｂ７）。コンテンツ配信部６４は、取得したコンテンツをパケット化し、パケット挿入部６３へ送信する（図１３のｂ８）。
【０１１５】
パケット挿入部６３は、セッション情報保持部６５のセッション情報を参照し、パケットヘッダを編集した後、そのパケットを回線Ｉ／Ｆ部６１へ送信する（図１３のｂ９）。
回線Ｉ／Ｆ部６１は、パケットをクライアント装置２に送信するので、クライアント装置２においてパケットが受信される（図１３のｂ１０）。
【０１１６】
コンテンツ配信部６４、パケット挿入部６３、回線Ｉ／Ｆ部６１は、それぞれ配信要求されたコンテンツデータを全て送信し終わるまで（図１３のｂ１１）、ａ７の処理からａ１０の処理を繰り返し行い、コンテンツデータを全て送信し終わると、配信処理を完了する。
【０１１７】
また、クライアント装置２は、コンテンツ受信完了後にＰＰＰｏＥセッションを終了し、ＰＡＤＴパケットをブロードバンドアクセスサーバ（ＢＡＳ）３に対して送信する。ＰＡＤＴパケットを受信したパケット監視抜取部６２は、セッション情報保持部６５に保有するセッション情報から該当するセッション情報を削除する。
【０１１８】
このように、本実施の形態では、アクセス集線装置５とは別にコンテンツ配信装置６を設置し、アクセス集線装置５とブロードバンドアクセスサーバ（ＢＡＳ）３との間を通るＰＰＰｏＥのパケットの監視、抜取、挿入、転送を行う構成を取っているため、コンテンツをブロードバンドアクセスサーバ（ＢＡＳ）３を経由せず、直接クライアント装置２に対して送信することが可能であり、既設のアクセス集線装置５に手を加えずに、ネットワーク１００に対する負荷を軽減することが可能となる。
【０１１９】
図１４は本発明の第３の実施の形態によコンテンツ配信システムの構成例を示すブロック図であり、図１５は本発明の第３の実施の形態におけるセッション情報の一例を示す図であり、図１６は本発明の第３の実施の形態における配信サーバ情報の一例を示す図である。
【０１２０】
図１４において、本発明の第３の実施の形態によるコンテンツ配信システムは、アクセス集線装置１と、クライアント装置２と、エッジルータ７と、ネットワーク１００と、コンテンツポータルサーバ４とから構成されている。本発明の第３の実施の形態は、ブロードバンドアクセスサーバ（ＢＡＳ）３の代わりにエッジルータ７を配置したことが本発明の第１の実施の形態と異なっている。尚、ネットワーク１００、コンテンツポータルサーバ４は、本発明の第１の実施の形態と同じ動作となっているため、ここではその詳細な説明を省略する。
【０１２１】
アクセス集線装置１は、加入者回線Ｉ／Ｆ部１１と、パケット監視抜取部１２と、パケット挿入部１３と、コンテンツ配信部１４と、セッション情報保持部１５と、コンテンツ保持部１６と、網側回線Ｉ／Ｆ部１７とを備えている。
【０１２２】
クライアント装置２は、コンテンツを受信する端末であり、ＡＤＳＬモデム機能等のアクセス回線へ接続するための機能を有する。また、クライアント装置２は、ＤＨＣＰ（Ｄｙｎａｍｉｃ  Ｈｏｓｔ  Ｃｏｎｆｉｇｒａｔｉｏｎ  Ｐｒｏｔｏｃｏｌ）によってＩＰアドレスの割り当てを受ける機能を有する。
【０１２３】
エッジルータ７は、アクセス集線装置１と接続され、クライアント装置２及びコンテンツ配信部１４に対してＤＨＣＰによってＩＰアドレスを割り当てる機能を有する。また、エッジルータ７は、ネットワーク１００と接続されている。
【０１２４】
加入者回線Ｉ／Ｆ部１１は、回線を終端し、ＡＤＳＬ信号を受信すると、そのＡＤＳＬ信号をＥｔｈｅｒｎｅｔ（登録商標）フレームへ変換し、パケット監視抜取部１２へ送信する。また、加入者回線Ｉ／Ｆ部１１は、パケット抜取監視部１２及びパケット挿入部１３からＥｔｈｅｒｎｅｔ（登録商標）フレームを受信すると、そのフレームをＡＤＳＬ信号に変換して各加入者回線へ送信する。
【０１２５】
パケット監視抜取部１２は、加入者回線Ｉ／Ｆ部１１及び網側回線Ｉ／Ｆ部１７からＥｔｈｅｒｎｅｔ（登録商標）パケットを受信し、受信したパケットの宛先ＩＰアドレスを参照して、コンテンツ配信部１４のＩＰアドレス宛のパケットを検出すると、そのパケットをコンテンツ配信部１４へ送信する。同時に、パケット監視抜取部１２は、セッション情報保持部１５に保有するセッション情報を更新する。
【０１２６】
また、パケット監視抜取部１２は、コンテンツ配信部１４宛ではないパケットに対して、加入者回線Ｉ／Ｆ部１１から受信したパケットであれば網側回線Ｉ／Ｆ部１７へ送信し、網側回線Ｉ／Ｆ部１７から受信したパケットであれば加入者回線Ｉ／Ｆ部１１へ送信する。
【０１２７】
パケット挿入部１３は、コンテンツ配信部１４よりパケットを受信し、受信したパケットの宛先ＩＰアドレスをキーとして、セッション情報保持部１５が保有するセッション情報を検索し、該当するセッションが見つかった場合、加入者回線Ｉ／Ｆ部１１へ送信する。パケット挿入部１３は、それ以外のパケットを網側回線Ｉ／Ｆ部１７へ送信する。
【０１２８】
コンテンツ配信部１４は、パケット監視抜取部１２からパケットを受信し、配信要求されたコンテンツをコンテンツ保持部１６より読出し、パケット化してパケット挿入部１３へ送信する。また、コンテンツ配信部１４は、ＤＨＣＰによってＩＰアドレスの割り当てを受ける機能を有する。
【０１２９】
セッション情報保持部１５は、図１５に示すセッションテーブルと、図１６に示す配信サーバ情報テーブルとから構成される。図１５を参照すると、セッションテーブルは、少なくとも回線番号、端末ＭＡＣアドレス、宛先ＭＡＣアドレス、端末ＩＰアドレスを保持する。また、図１６を参照すると、配信サーバ情報テーブルは、少なくともコンテンツ配信部１４が使用しているＩＰアドレス、配信部ＭＡＣアドレスを保持する。
【０１３０】
コンテンツ保持部１６は、配信可能なコンテンツを格納している。また、コンテンツ保持部１６が保有するコンテンツは、例えば、映画やドラマ等の映像であるが、それに限定されるものではない。
【０１３１】
網側回線Ｉ／Ｆ部１７は、網側回線を終端し、パケット監視抜取部１２及びパケット挿入部１３から受信したパケットをエッジルータ７へ送信する。また、網側回線Ｉ／Ｆ部１７は、エッジルータ７から受信したパケットをパケット監視抜取監視部１２へ送信する。
【０１３２】
図１７及び図１８は本発明の第３の実施の形態におけるパケット監視抜取処理を示すフローチャートであり、図１９は本発明の第３の実施の形態におけるパケット挿入処理を示すフローチャートであり、図２０は本発明の第３の実施の形態によるコンテンツ配信システム全体の動作を示すシーケンスチャートである。これら図１４〜図２０を参照して本発明の第３の実施の形態によるコンテンツ配信システム全体の動作について説明する。
【０１３３】
以下、図１７及び図１８を参照してアクセス集線装置１のパケット受信動作について説明する。アクセス集線装置１は、加入者回線Ｉ／Ｆ部１１及び網側回線Ｉ／Ｆ部１７からパケットを受信し、また、受信パケットがコンテンツ配信部１４宛である場合と、そうでないパケットである場合とによって動作が異なるため、それぞれ説明する。
【０１３４】
まず、アクセス集線装置１がクライアント装置２からコンテンツ配信部１４宛のパケットを受信した時の動作について説明する。加入者回線Ｉ／Ｆ部１１は、ＡＤＳＬ信号を受信すると、そのＡＤＳＬ信号をＥｔｈｅｒｎｅｔ（登録商標）フレームへ変換し、パケット監視抜取部１２へ送信する。
【０１３５】
パケット監視抜取部１２は、受信したパケットのＩＰヘッダの宛先ＩＰアドレスを確認し、コンテンツ配信部１４宛のパケットであれば（図１７ステップＳ５１）、送信元が加入者回線Ｉ／Ｆ１１側であるかを確認する（図１７ステップＳ５２）。さらに、パケット監視抜取部１２は、受信したパケットが加入者回線Ｉ／Ｆ１１側からのものであれば、受信パケットの送信元ＩＰアドレスをキーにしてセッション情報保持部１５に保有するセッションテーブルを検索する（図１７ステップＳ５３）。
【０１３６】
パケット監視抜取部１２は、該当するセッションが見つかった場合、そのセッション情報を更新し（図１７ステップＳ５４）、セッションが見つからない場合、新たにセッション情報を登録する（図１７ステップＳ５５）。
【０１３７】
さらにまた、パケット監視抜取部１２は、セッション情報保持部１５に保有する配信サーバ情報テーブルからコンテンツ配信部１４が使用するＭＡＣアドレスを取得し、受信パケットの宛先ＭＡＣアドレスを書き換え（図１７ステップＳ５６）、そのパケットをコンテンツ配信部１４へ送信する（図１７ステップＳ５７）。
【０１３８】
次に、アクセス集線装置１がエッジルータ７からコンテンツ配信部１４宛のパケットを受信した時の動作について説明する。網側回線Ｉ／Ｆ部１７は、エッジルータ７からパケットを受信すると、そのパケットをパケット監視抜取部１２へ送信する。
【０１３９】
パケット監視抜取部１２は、受信したパケットのＩＰヘッダの宛先ＩＰアドレスがコンテンツ配信部１４宛であるかを確認し、コンテンツ配信部１４宛のパケットであれば（図１７ステップＳ５１の分岐でＹＥＳ）、送信元が加入者回線Ｉ／Ｆ１１側であるかを確認する（図１７ステップＳ５２）。
【０１４０】
さらに、パケット監視抜取部１２は、受信したパケットが網側回線Ｉ／Ｆ１７からのものであれば（図１７ステップＳ５２の分岐でＮＯ）、そのパケットをコンテンツ配信部１４へ送信する（図１７ステップＳ５７）。
【０１４１】
次に、アクセス集線装置１がクライアント装置２からコンテンツ配信部１４宛でないパケットを受信した時の動作について説明する。加入者回線Ｉ／Ｆ部１１は、ＡＤＳＬ信号を受信すると、そのＡＤＳＬ信号をＥｔｈｅｒｎｅｔ（登録商標）フレームへ変換し、パケット監視抜取部１２へ送信する。
【０１４２】
パケット監視抜取部１２は、受信したパケットのＩＰヘッダの宛先ＩＰアドレスがコンテンツ配信部１４宛であるかを確認する（図１７ステップＳ５１）。また、パケット監視抜取部１２は、コンテンツ配信部１４宛のパケットでなければ（図１７ステップＳ５１の分岐でＮＯ）、パケットが加入者回線Ｉ／Ｆ部１１から受信したものであるかを確認し（図１８ステップＳ５８）、パケットを網側回線Ｉ／Ｆ部１７へ送信する（図１８ステップＳ５９）。網側回線Ｉ／Ｆ部１７は、受信したパケットをエッジルータ７へ送信する。
【０１４３】
次に、アクセス集線装置１がエッジルータ７からコンテンツ配信部１４宛でないパケットを受信した時の動作について説明する。網側回線Ｉ／Ｆ部１７は、エッジルータ７からパケットを受信すると、そのパケットをパケット監視抜取部１２へ送信する。
【０１４４】
パケット監視抜取部１２は、受信したパケットのＩＰヘッダ内の宛先ＩＰアドレスがコンテンツ配信部１４宛であるかを確認し（図１７ステップＳ５１）、コンテンツ配信部１４宛のパケットでなければ（図１７ステップＳ５１の分岐でＮＯ）、送信元が加入者回線Ｉ／Ｆ側であるかを確認し（図１８ステップＳ５８）、そうでない場合、パケットを加入者回線Ｉ／Ｆ部１１へ送信する（図１８ステップＳ６０）。加入者回線Ｉ／Ｆ部１１は、受信したパケットをＥｔｈｅｒｎｅｔ（登録商標）フレームからＡＤＳＬ信号へ変換し、そのＡＤＳＬ信号をクライアント装置２に対して送信する。
【０１４５】
上述したとおり、アクセス集線装置１は、受信パケットの条件によって異なる動作をする。
【０１４６】
次に、図１９を参照してパケット挿入部１３の動作について説明する。パケット挿入部１３は、コンテンツ配信部１４からパケットを受信すると、受信したパケットの宛先ＩＰアドレスをキーにしてセッション情報保持部１５に保有するセッション情報を検索する（図１９ステップＳ６１）。
【０１４７】
パケット挿入部１３は、該当するセッションを見つけた場合（図１９ステップＳ６２の分岐でＹＥＳ）、パケットを加入者回線Ｉ／Ｆ部１１へ送信する（図１９ステップＳ６３）。
【０１４８】
また、パケット挿入部１３は、ステップＳ６２のセッション情報検索において該当するセッションが見つからない場合（図１９ステップＳ６２の分岐でＮＯ）、パケットを網側回線Ｉ／Ｆ部１７へ送信する（図１９ステップＳ６４）。
【０１４９】
次に、図２０を参照してクライアント装置２がコンテンツを取得するまでの本発明の第３の実施の形態によるコンテンツ配信システム全体の動作について説明する。まず、コンテンツ保持部１６は、配信可能なコンテンツを保有しているものとする。
【０１５０】
また、コンテンツ配信部１４は、エッジルータ７から使用するＩＰアドレスを割り当てられているものとし、セッション情報保持部１５は、配信サーバ情報テーブルとしてコンテンツ配信部１４が使用するＩＰアドレス、配信部ＭＡＣアドレスを保有していることとする。さらに、クライアント装置２は、アクセス集線装置１を介しエッジルータ７と接続し、ＩＰアドレスが割り当てられているものとする。
【０１５１】
クライアント装置２は、アクセス集線装置１と、エッジルータ７と、ネットワーク１００とを経由し、コンテンツポータルサーバ４と接続し、コンテンツリストを要求する（図２０のｃ１）。コンテンツリスト要求を受けたポータルサーバ４は、コンテンツリストをクライアント装置２へ送信する（図２０のｃ２）。
【０１５２】
クライアント装置２は、コンテンツポータルサーバ４から取得したコンテンツリストの中から配信を希望するコンテンツを選択し（図２０のｃ３）、コンテンツ配信部１４のＩＰアドレスに対してコンテンツ配信要求を行う（図２０のｃ４）。
【０１５３】
クライアント装置２から送信されたコンテンツ配信要求パケットは、アクセス集線装置１において、加入者回線Ｉ／Ｆ部１１を通してパケット監視抜取部１２が受信し、パケット監視抜取部１２は、セッション情報保持部１５のセッション情報を作成もしくは更新する（図２０のｃ５）。
【０１５４】
次に、パケット監視抜取部１２は、配信要求パケットをコンテンツ配信部１４へ送信する（図２０のｃ６）。コンテンツ配信部１４は、コンテンツ配信要求パケットを受信すると、該当するコンテンツをコンテンツ保持部１６から取得する（図２０のｃ７）。コンテンツ配信部１４は、取得したコンテンツをパケット化し、そのパケットをパケット挿入部１３へ送信する（図２０のｃ８）。
【０１５５】
パケット挿入部１３は、セッション情報保持部１５のセッション情報を参照し、パケットヘッダを編集した後、そのパケットを加入者回線Ｉ／Ｆ部１１へ送信する（図２０のｃ９）。加入者回線Ｉ／Ｆ部１１は、パケットをクライアント装置２に送信し、クライアント装置２で加入者回線Ｉ／Ｆ部１１からのパケットが受信される（図２０のｃ１０）。
【０１５６】
コンテンツ配信部１４、パケット挿入部１３、加入者回線Ｉ／Ｆ部１１はそれぞれ、配信要求されたコンテンツデータを全て送信し終わるまで（図２０のｃ１１）、ｃ７の処理からｃ１０の処理を繰り返し行い、コンテンツデータを全て送信し終わると、配信処理を完了する。
【０１５７】
このように、本実施の形態では、アクセス集線装置１にコンテンツ配信サーバを内蔵し、アクセス集線装置１を通るパケットの監視、抜取、挿入を行う構成を取っているため、コンテンツをアクセス集線装置１からエッジルータ７を経由せず、直接クライアント装置２に対して送信することが可能であり、ネットワーク１００に対する負荷を軽減することができる。
【産業上の利用可能性】
【０１５８】
本発明は、放送番組や映画等の映像コンテンツをネットワークを経由して配信するといった用途に適用することができる。特に、本発明は、大規模な加入者を有するコンテンツ配信システムに適用することができる。また、本発明では、コンテンツを映像に限らず、音楽やゲーム等の様々な種類のコンテンツ配信サービスへの適用が可能である。
本発明の全開示（請求の範囲を含む）の枠内において、さらにその基本的技術思想に基づいて、実施例ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【０１５９】
１，５  アクセス集線装置
２  クライアント装置
３  ブロードバンドアクセスサーバ（ＢＡＳ）
４  コンテンツポータルサーバ
６  コンテンツ配信装置
７  エッジルータ
１１  加入者回線Ｉ／Ｆ部
１２，６２  パケット監視抜取部
１３，６３  パケット挿入部
１４，６４  コンテンツ配信部
１５，６５  セッション情報保持部
１６，６６  コンテンツ保持部
１７  網側回線Ｉ／Ｆ部
６１  回線Ｉ／Ｆ部
１００  ネットワーク
【図１】
2009142216.tif 000003
【図２】
2009142216.tif 000004
【図３】
2009142216.tif 000005
【図４】
2009142216.tif 000006
【図５】
2009142216.tif 000007
【図６】
2009142216.tif 000008
【図７】
2009142216.tif 000009
【図８】
2009142216.tif 000010
【図９】
2009142216.tif 000011
【図１０】
2009142216.tif 000012
【図１１】
2009142216.tif 000013
【図１２】
2009142216.tif 000014
【図１３】
2009142216.tif 000015
【図１４】
2009142216.tif 000016
【図１５】
2009142216.tif 000017
【図１６】
2009142216.tif 000018
【図１７】
2009142216.tif 000019
【図１８】
2009142216.tif 000020
【図１９】
2009142216.tif 000021
【図２０】
2009142216.tif 000022
【図２１】
2009142216.tif 000023
【図２２】
2009142216.tif 000024
【手続補正書】
【提出日】平成21年11月2日(2009.11.2)
【手続補正１】
【補正対象書類名】特許請求の範囲
【補正対象項目名】全文
【補正方法】変更
【補正の内容】
【特許請求の範囲】
【請求項１】
加入者回線を集線してネットワークと接続するアクセス集線装置を通るパケットに対して監視と抜取と転送とを行うパケット監視抜取部と、
前記パケットのヘッダを編集するパケット挿入部と、
少なくとも映像及び音楽のデータを含みかつ配信可能なコンテンツを配信するコンテンツ配信部と、
前記コンテンツを保有するコンテンツ保持部とを備え、
前記パケット監視抜取部が、前記コンテンツ配信部宛てのパケットを抜き取って、前記コンテンツ配信部に転送し、
前記パケット挿入部が、前記転送されたパケットに対してコンテンツ配信部から出力されたパケットのヘッダを編集することにより、コンテンツを前記アクセス集線装置からクライアント装置に直接配信するコンテンツ配信システム。
【請求項２】
前記コンテンツ配信装置を前記アクセス集線装置に内蔵し、
前記コンテンツ配信装置に、複数のアクセス回線を集線して信号変換する加入者回線インタフェース部と、前記ネットワークとの接続を行う網側回線インタフェース部とをさらに備え、
前記パケット監視抜取部が、前記加入者回線インタフェース部と前記網側回線インタフェース部との間を通るパケットの監視、抜取、挿入、転送を行うことを特徴とする請求項１に記載のコンテンツ配信システム。
【請求項３】
前記コンテンツ配信装置を前記アクセス集線装置に接続し、
前記コンテンツ配信装置に、前記アクセス集線装置と前記ネットワークとの接続を行う回線インタフェース部をさらに備え、
前記パケット監視抜取部が、前記回線インタフェース部を通るパケットの監視、抜取、挿入、転送を行うことを特徴とする請求項１に記載のコンテンツ配信システム。
【請求項４】
前記コンテンツ配信装置に、前記クライアント装置が使用するセッション情報を保持するセッション情報保持部をさらに備え、
前記パケット監視抜取部が、前記セッション情報保持部を参照して前記パケットの監視、抜取、挿入、転送を行うことを特徴とする請求項１から請求項３のいずれかに記載のコンテンツ配信システム。
【請求項５】
前記アクセス集線装置と前記ネットワークとをブロードバンドアクセスサーバを介して接続することを特徴とする請求項１から請求項４のいずれかに記載のコンテンツ配信システム。
【請求項６】
前記アクセス集線装置と前記ネットワークとをエッジルータを介して接続することを特徴とする請求項１から請求項４のいずれかに記載のコンテンツ配信システム。
【請求項７】
前記クライアント装置は、提供可能なコンテンツのリストを提供するコンテンツポータルサーバから受信可能なコンテンツのリストを取得することを特徴とする請求項１から請求項６のいずれかに記載のコンテンツ配信システム。
【請求項８】
前記クライアント装置は、前記コンテンツポータルサーバから取得したコンテンツのリストの中から受信コンテンツを選択し、当該コンテンツの配信要求を前記アクセス集線装置に送信することを特徴とする請求項７に記載のコンテンツ配信システム。
【請求項９】
前記クライアント装置は、前記選択したコンテンツを前記コンテンツ配信装置から受信することを特徴とする請求項８に記載のコンテンツ配信システム。
【請求項１０】
加入者回線を集線してネットワークと接続するアクセス集線装置を通るパケットに対して監視と抜取と転送とを行うパケット監視抜取部と、
前記パケットのヘッダを編集するパケット挿入部と、
少なくとも映像及び音楽のデータを含みかつ配信可能なコンテンツを配信するコンテンツ配信部と、
前記コンテンツを保有するコンテンツ保持部とを備え、
前記パケット監視抜取部が、前記コンテンツ配信部宛てのパケットを抜き取って、前記コンテンツ配信部に転送し、
前記パケット挿入部が、前記転送されたパケットに対してコンテンツ配信部から出力されたパケットのヘッダを編集することにより、コンテンツを前記アクセス集線装置からクライアント装置に直接配信することを特徴とするコンテンツ配信装置。
【請求項１１】
前記アクセス集線装置に内蔵され、
複数のアクセス回線を集線して信号変換する加入者回線インタフェース部と、前記ネットワークとの接続を行う網側回線インタフェース部とをさらに備え、
前記パケット監視抜取部が、前記加入者回線インタフェース部と前記網側回線インタフェース部との間を通るパケットの監視、抜取、挿入、転送を行うことを特徴とする請求項１０に記載のコンテンツ配信装置。
【請求項１２】
前記アクセス集線装置に接続され、
前記アクセス集線装置と前記ネットワークとの接続を行う回線インタフェース部をさらに備え、
前記パケット監視抜取部が、前記回線インタフェース部を通るパケットの監視、抜取、挿入、転送を行うことを特徴とする請求項１０に記載のコンテンツ配信装置。
【請求項１３】
前記クライアント装置が使用するセッション情報を保持するセッション情報保持部をさらに備え、
前記パケット監視抜取部が、前記セッション情報保持部を参照して前記パケットの監視、抜取、挿入、転送を行うことを特徴とする請求項１０から請求項１２のいずれかに記載のコンテンツ配信装置。
【請求項１４】
前記アクセス集線装置と前記ネットワークとがブロードバンドアクセスサーバを介して接続されることを特徴とする請求項１０から請求項１３のいずれかに記載のコンテンツ配信装置。
【請求項１５】
前記アクセス集線装置と前記ネットワークとがエッジルータを介して接続されることを特徴とする請求項１０から請求項１３のいずれかに記載のコンテンツ配信装置。
【請求項１６】
加入者回線を集線してネットワークと接続するアクセス集線装置を通るパケットに対して監視と抜取と転送とを行うパケット監視抜取ステップと、
前記パケットのヘッダを編集するパケット挿入ステップと、
少なくとも映像及び音楽のデータを含みかつ配信可能なコンテンツを配信するコンテンツ配信ステップと、
前記コンテンツを保有するコンテンツ保持ステップとを含み、
前記パケット監視抜取ステップにおいて、前記コンテンツ配信部宛てのパケットを抜き取って、前記コンテンツ配信部に転送し、
前記パケット挿入ステップにおいて、前記転送されたパケットに対してコンテンツ配信ステップにて出力したパケットのヘッダを編集することにより、コンテンツを前記アクセス集線装置からクライアント装置に直接配信することを特徴とするコンテンツ配信方法。
【請求項１７】
前記アクセス集線装置に内蔵され、
複数のアクセス回線を集線して信号変換する加入者回線インタフェース部と、前記ネットワークとの接続を行う網側回線インタフェース部とを備えるコンテンツ配信装置が前記各ステップを実行し、
前記パケット監視抜取ステップにおいて、前記加入者回線インタフェース部と前記網側回線インタフェース部との間を通るパケットの監視、抜取、挿入、転送を行うことを特徴とする請求項１６に記載のコンテンツ配信方法。
【請求項１８】
前記アクセス集線装置に接続され、
前記アクセス集線装置と前記ネットワークとの接続を行う回線インタフェース部を備えるコンテンツ配信装置が前記各ステップを実行し、
前記パケット監視抜取処理において、前記回線インタフェース部を通るパケットの監視、抜取、挿入、転送を行うことを特徴とする請求項１６に記載のコンテンツ配信方法。
【請求項１９】
前記パケット監視抜取処理において、前記コンテンツ配信装置は、前記クライアント装置が使用するセッション情報を保持するセッション情報保持部を参照して前記パケットの監視、抜取、挿入、転送を行うことを特徴とする請求項１６から請求項１８のいずれかに記載のコンテンツ配信方法。
【請求項２０】
前記アクセス集線装置と前記ネットワークとをブロードバンドアクセスサーバを介して接続することを特徴とする請求項１６から請求項１９のいずれかに記載のコンテンツ配信方法。
【請求項２１】
前記アクセス集線装置と前記ネットワークとをエッジルータを介して接続することを特徴とする請求項１６から請求項１９のいずれかに記載のコンテンツ配信方法。
【請求項２２】
前記クライアント装置が、提供可能なコンテンツのリストを提供するコンテンツポータルサーバから受信可能なコンテンツのリストを取得することを特徴とする請求項１６から請求項２１のいずれかに記載のコンテンツ配信方法。
【請求項２３】
前記クライアント装置が、前記コンテンツポータルサーバから取得したコンテンツのリストの中から受信コンテンツを選択し、当該コンテンツの配信要求を前記アクセス集線装置に送信することを特徴とする請求項２２に記載のコンテンツ配信方法。
【請求項２４】
前記クライアント装置が、前記選択したコンテンツを前記コンテンツ配信装置から受信することを特徴とする請求項２３に記載のコンテンツ配信方法。
【請求項２５】
加入者回線を集線してネットワークと接続するアクセス集線装置を通るパケットに対して監視と抜取と転送とを行うパケット監視抜取処理と、
前記パケットのヘッダを編集するパケット挿入処理と、
少なくとも映像及び音楽のデータを含みかつ配信可能なコンテンツを配信するコンテンツ配信処理と、
前記コンテンツを保有するコンテンツ保持処理とをコンテンツ配信装置を構成するコンピュータに実行させ、
パケット監視抜取処理にて、前記コンテンツ配信部宛てのパケットを抜き取って、前記コンテンツ配信部に転送し、
前記パケット挿入処理にて、前記転送されたパケットに対するコンテンツ配信処理にて出力されたパケットのヘッダを編集することにより、コンテンツを前記アクセス集線装置からクライアント装置に直接配信させるプログラム。
【国際調査報告】
2009142216.tif 000025
2009142216.tif 000026
2009142216.tif 000027
2009142216.tif 000028